(57)【要約】【課題】  特許マップ上の所定部位の特許情報を別の特許マップでも表示できて、特許情報の分析作業の効率化を十分に高めることが可能な特許マップ表示装置を提供する。【解決手段】  少なくとも入力手段と表示手段を有し、入力手段で入力された検索条件に基づき作成された特許マップを表示手段に表示し得る特許マップ表示装置であって、表示手段は、検索条件により抽出した各特許情報に基づき作成された所定の特許マップを表示すると共に、該表示された特許マップの所定部位の特許情報を当該特許マップとは別の他の特許マップで表示し得ることを特徴とする。また、前記所定の特許マップの所定部位の特許情報について、件数リスト等も表示される。【選択図】  図２
2007079769.tif 000002
【特許請求の範囲】
【請求項１】
少なくとも入力手段と表示手段を有し、前記入力手段で入力された検索条件に基づき作成された特許マップを前記表示手段に表示し得る特許マップ表示装置であって、
前記表示手段は、検索条件により抽出した各特許情報に基づき作成された所定の特許マップを表示すると共に、該表示された特許マップの所定部位の特許情報を当該特許マップとは別の他の特許マップで表示し得ることを特徴とする特許マップ表示装置。
【請求項２】
前記表示手段は、前記所定の特許マップの所定部位の特許情報について件数を表示し得ることを特徴とする請求項１に記載の特許マップ表示装置。
【請求項３】
前記所定の特許マップがマトリクスマップであり、その各マス目内に出願件数が円表示されると共に、当該円部分を指定した際に、前記他の特許マップとしてのランキングマップが表示されることを特徴とする請求項１または２に記載の特許マップ表示装置。
【発明の詳細な説明】
【技術分野】
【０００１】
本発明は、特許情報群の中から所定の検索条件に基づいて抽出された特許情報を、所定形態のマップとして表示し得る特許マップ表示装置に関する。
【背景技術】
【０００２】
従来、特許庁から発行されるＣＤ−ＲＯＭ特許公報等の特許情報を分析する場合、所定の検索式等に基づいて対象特許情報を抽出すると共に、この抽出した対象特許情報に基づいて作成された各種の特許マップをデイスプレイ等の画面上に表示する特許マップ表示装置が使用されている。この特許マップ表示装置で表示される特許マップのうち、例えばマトリクスマップは、図４に示すように、縦軸に出願人（Ａ、Ｂ、Ｃ・・）を指定すると共に横軸にＦターム（ａ、ｂ、ｃ・・）を指定し、各マス目内に出願人とＦタームのＡＮＤ検索の集計結果である出願件数が、円１５ａの大きさ（面積）で表示されるものが使用されている。そして、このマトリクスマップ１５の場合、各マス目の円１５ａをマウスでクリックすることにより、円１５ａを構成する各特許情報の書誌的事項がリスト１６として表示されるようになっている。なお、この種の特許文献としては、例えば特許文献１に開示のものが知られている。
【特許文献１】特開２００５−１６５８５９号公報
【発明の開示】
【発明が解決しようとする課題】
【０００３】
しかしながら、このような特許マップにおいては、マトリクスマップ１５の各マス目の円１５ａをクリックした場合に、該円１５ａを構成する各特許情報の書誌的事項が単にリスト１６として羅列状態で表示されるのみであるため、当該円部分についてさらに詳細な特許情報の分析を瞬時に行うことが難しく、分析作業の効率化を十分に高めることが困難である。
【０００４】
本発明は、このような事情に鑑みてなされたもので、その目的は、特許マップ上の所定部位の特許情報を別の特許マップでも表示できて、特許情報の分析作業の効率化を十分に高めることが可能な特許マップ表示装置を提供することにある。
【課題を解決するための手段】
【０００５】
かかる目的を達成すべく、本発明のうち請求項１に記載の発明は、少なくとも入力手段と表示手段を有し、前記入力手段で入力された検索条件に基づき作成された特許マップを前記表示手段に表示し得る特許マップ表示装置であって、前記表示手段は、検索条件により抽出した各特許情報に基づき作成された所定の特許マップを表示すると共に、該表示された特許マップの所定部位の特許情報を当該特許マップとは別の他の特許マップで表示し得ることを特徴とする。
【０００６】
また、請求項２に記載の発明は、前記所定の特許マップの所定部位の特許情報について件数を表示し得ることを特徴とし、さらに、請求項３に記載の発明は、前記所定の特許マップがマトリクスマップであり、その各マス目内に出願件数が円表示されると共に、当該円部分を指定した際に、前記別の特許マップとしてのランキングマップが表示されることを特徴とする。
【発明の効果】
【０００７】
請求項１に記載の発明によれば、表示手段が、検索条件により抽出した各特許情報に基づき作成された所定の特許マップを表示すると共に、この表示された特許マップの所定部位の特許情報が別の他の特許マップで表示されるため、特許マップ上から別の特許マップを表示できて、例えば所定の特許マップの所定部位の特許情報の分析を瞬時に行うことができる等、分析作業の効率化を十分に高めて、高精度な特許情報の分析が可能となる。
【０００８】
また、請求項２に記載の発明によれば、請求項１に記載の発明の効果に加え、所定の特許マップの所定部位の特許情報について表示手段に件数も表示されるため、別の特許マップとその件数によって、特許情報の分析作業の一層の効率化を図ることができる。
【０００９】
さらに、請求項３に記載の発明は、所定の特許マップがマトリクスマップでその各マス目内に出願件数が円表示されると共に、当該円部分をクリック操作等により指定した際にランキングマップが表示されるため、マトリクスマップ上から所定マス目に対するランキングマップを即座に表示できて、特許情報の分析作業のより一層の効率化を図ることができる。
【発明を実施するための最良の形態】
【００１０】
以下、本発明の実施の形態を図面に基づいて詳細に説明する。
図１〜図３は、本発明に係わる特許マップ表示装置を例えばパソコンを使用して構築した場合の一実施形態を示し、図１がそのブロック図、図２がマトリクスマップの表示状態の説明図、図３がその要部の説明図である。
【００１１】
図１において、特許マップ表示装置１は、ＣＰＵ３、ＲＡＭ４、ＲＯＭ５及びＩ／Ｏ６等がバスライン７を介して接続された制御装置２を有している。そして、この制御装置２のＩ／Ｏ６の入力側には、入力手段としてのキーボード８及びマウス９、ＭＯドライブ等を含むＣＤ−ＲＯＭ等ドライブ１０が接続されると共に、各種のデータベース１１が通信回線１２を介して接続されている。また、制御装置２のＩ／Ｏ６の出力側には、表示手段としてのＣＲＴ（液晶ディスプレイを含む）からなる表示器１３と、プリンタ１４等が接続されている。
【００１２】
この特許マップ表示装置１は、ＣＤ−ＲＯＭ等ドライブ１０で予め読み込まれて制御装置２のＲＯＭ５に記憶されているプログラムに基づいて、ＣＤ−ＲＯＭ等ドライブ１０にセットされている例えばＣＤ−ＲＯＭ特許公報の特許情報、あるいは通信回線１２を介して得られたデータベース１１からの特許情報が、キーボード８やマウス９で入力された検索項目等の条件に基づいて検索（抽出）される。そして、この抽出された各種特許情報が、制御装置２のＣＰＵ３に読み込まれてデータ集計されて後述する特許マップが作成され、この特許マップが表示器１３に出力されてその画面１３ａに表示されたり、あるいはプリンタ１４で印刷されるようになっている。
【００１３】
図２は、この特許マップ表示装置１で作成された特許マップの具体的な表示状態を示しており、以下、これについて説明する。先ず、特許マップの作成・表示にあたっては、前記プログラムに基づき表示器１３上に表示される所定の入力画面によって、特許マップを作成する際に必要な、所定の特許マップ及び該特許マップから表示される別の特許マップの形態、縦軸や横軸の指定項目（検索項目）、表示すべき書誌的事項等の各種条件が入力設定される。
【００１４】
そして、表示器１３の入力画面で所定入力を完了し、同入力画面に設けられた作成表示キー（図示せず）をクリックすると、前記制御装置２によって入力条件に対応した対象特許情報が抽出され、指定された特許マップの形態がマトリクスマップの場合には、例えば図２に示すようなマトリクスマップ１５が作成されて、表示器１３の画面１３ａ上に表示される。
【００１５】
すなわち、マトリクスマップ１５は、例えば縦軸として出願人（Ａ、Ｂ、Ｃ・・）が指定され、横軸としてＦターム（ａ、ｂ、ｃ・・）が指定され、縦軸と横軸の各検索項目が同時に含まれる（ＡＮＤ検索した）特許出願の件数（出願件数）が、各マス目に円１５ａとして表示される。この時、円１５ａの大きさ（円１５ａの直径の大きさ）が出願件数の大きさに比例しており、大きな直径の円１５ａの場合は出願件数が多く、小さな直径の円１５ａの場合は出願件数が小さいことを示している。
【００１６】
そして、図２に示すように、例えば出願人が「Ｊ」で、Ｆタームが「ｅ」のマス目の円１５ａをマウスでクリックすると、件数リスト１６と件数ランキングマップ１７の少なくとも一方が同一画面上に表示される。この時の件数リスト１６は、例えば図３（ａ）に示すように、出願人とＦタームのマス目に出願件数が表示され、所定の件数（図で「１６」）をクリックした際に、当該件数の出願に係わるＮＯ、出願番号、出願日、発明の名称、出願人等の所謂書誌的事項が上から下に羅列状態で表示されるものである。また、ランキングマップ１７は、図３（ｂ）に示すように、縦軸にＦタームが指定されて横軸にその件数を棒グラフで表示されるものである。このランキングマップ１７の場合の縦軸の表示順位は、Ｆタームの順位でも良いし件数の多いものからの順位でも良い。
【００１７】
なお、マトリクスマップ１５のマス目をクリックした際の、件数リスト１６とランキングマップ１７の表示は、画面１３ａ上に件数リスト１６かランキングマップ１７かの選択画面を表示し、この画面の選択により表示させても良いし、予め優先される方を設定しておき、クリックすることにより、ランキングマップ１７や件数リスト１６を表示させる等、適宜の表示方法を採用することができる。また、マトリクスマップ１５のマス目の指定もクリック操作に限らず、マス目をキーボードで直接入力することにより行うこともできるし、対象特許情報に実用新案がある場合には、図２に示すように、円１５ａ内に実用新案１５ｂを識別化して表示するように構成しても良い。
【００１８】
このように、上記実施形態の特許マップ表示装置１によれば、制御装置２に接続された表示器１３に、検索条件により抽出された各特許情報に基づいてマトリクスマップ１５が表示されると共に、この表示されたマトリクスマップ１５の所定のマス目の円１５ａをクリックすると、当該円１５ａに対応した特許情報のランキングマップ１７が表示されるため、マトリマスマップ１５上からランキングマップ１７を表示できて、例えばマトリクスマップ１５の注目すべき所定のマス目の特許情報の分析を画面１３ａ上で瞬時に行うことができる。
【００１９】
特に、マトリクスマップ１５の円１５ａをクリックすることにより、当該円１５ａに対応した特許情報の件数リスト１６も表示できることから、この件数リスト１６の書誌的事項とランキンクマップ１７とを総合して特許情報を分析でき、これらにより、膨大な量の特許情報の分析作業を効率的に行うことができると共に、高精度な特許情報の分析が可能となる。
【００２０】
また、特許マップ表示装置１をパソコンを利用して構築できるため、予めパソコンにプログラムを組み込みことで、誰でも画面１３ａ上の表示に従い簡単に操作できて、例えば現在公開されているデータベース１１を利用した特許情報の分析を、コスト安価に行うことが可能となる。
【００２１】
なお、上記実施形態においては、特許マップがマトリクスマップ１５である場合について説明したが、本発明はこれに限定されず、例えば時系列マップやポートフォリオマップの所定部位（所定の公開年度の件数部分）をクリックした際、あるいはシェアマップやレーダチャートあるいはニューエントリーマップ等の所定部位をクリックした際に、当該部分の特許情報について別の特許マップを表示するように構成することもできる。また、指定により表示されるマップも、ランキングマップ限らず、シェアマップ、ニューエントリーマップ等を使用できる等、分析する課題等に応じて適宜の特許マップを使用することができる。
【産業上の利用可能性】
【００２２】
本発明は、パソコンを使用して構築した表示装置に限らず、各種端末機を使用した表示装置にも適用できる。
【図面の簡単な説明】
【００２３】
【図１】本発明に係わる特許マップ表示装置の一実施形態を示すブロック図
【図２】同マトリクスマップの表示状態の説明図
【図３】同その要部の説明図
【図４】従来のマトリクスマップの表示状態の説明図
【符号の説明】
【００２４】
１：特許マップ表示装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：データベース
１３：表示器
１３ａ：画面
１５：マトリクスマスマップ
１５ａ：円
１６：件数リスト
１７：ランキングマップ
【図１】
2007079769.tif 000003
【図２】
2007079769.tif 000004
【図３】
2007079769.tif 000005
【図４】
2007079769.tif 000006